(57)【要約】【課題】  床断熱構造を施工する際に、厚さの異なる断熱板であっても容易に且つ正確に根太間に配設、保持することができると共に、床板を剥がさずに行う床断熱リフォームに対応し得る床用断熱板保持具を提供する。【解決手段】  根太Ｂの下面に装着可能でその両側端部に挿通孔２、２を設けている保持具本体１と、上記挿通孔２、２に上下摺動自在に、且つ、抜き取り可能に配設され、上端に断熱板Ｄの支持板部４、４を設けている垂直保持板３、３と、垂直保持板３、３の内側面に設けられた上下方向に連続する複数の係止突条７と、保持具本体１側に設けられ、上端に上記係止爪片９に係脱自在に係止した係止爪片９を有する操作片８とを備え、係止突条７と係止爪片９との係止によって上記断熱板支持板部４、４を断熱板Ｄの厚さに応じた高さ位置に配設可能に構成している。【選択図】    図３
2018071291.tif 000002
【特許請求の範囲】
【請求項１】
根太間に配設される断熱板を保持するための床用断熱板保持具であって、上面が根太の下面への当接面に形成されていると共に根太の幅間隔を存した両側端部に挿通孔を設けている保持具本体と、この保持具本体の上記両側の挿通孔にそれぞれ上下動自在に挿通している垂直保持板と、これらの垂直保持板の上端に互いに相反する水平方向に屈折、形成している断熱板を受止するための支持板部と、上記垂直保持板を下動不能に固定するための固定手段と、保持具本体を根太に固着するための取着手段とを備えていることを特徴とする特徴とする床用断熱板保持具。
【請求項２】
保持具本体の両側端部に設けている挿通孔に上下動自在に挿通している垂直保持板を下動不能に固定するための固定手段は、垂直保持板の内側面に上下方向に連続形成している係止突条と、保持具本体の両側端部に上記垂直保持板の内面に対して接離する方向に弾性的に撓み可能に設けられ、上端に上記係止突条に係脱自在に係止させた係止爪片を設けている操作片とからなることを特徴とする請求項１に記載の床用断熱板保持具。
【請求項３】
垂直保持板の内側面に設けている係止突条は、その上面が垂直保持板の内側面から先端に向かって下方に傾斜した傾斜面に形成され、下面は下向きの水平係止面に形成されている一方、操作片の上端に設けている係止爪片は上面が上向きの水平係止面に、下面がその水平係止面の先端から斜め下方に傾斜した傾斜面に形成していることを特徴とする請求項２に記載の床用断熱板。
【請求項４】
保持具本体の中央部に上下方向に貫通したビス止め用孔を設けていることを特徴とする請求項１に記載の床用断熱板保持具。
【請求項５】
垂直保持板における幅方向の中央部に上下方向に長い長孔を穿設していることを特徴とする請求項１に記載の床用断熱板保持具。
【発明の詳細な説明】
【技術分野】
【０００１】
本発明は、戸建て住宅等の木造建築物における根太間に断熱板を配設して床断熱構造を施工する際に、断熱板を保持するための床用断熱板保持具に関する。
【背景技術】
【０００２】
従来から木造建築物において、根太間に床用断熱板（以下、単に断熱板という）を配設して床断熱構造を施工する場合、根太に断熱板を保持するための保持具を装着している。このような保持具としては、例えば、特許文献１に記載されているように、根太の下面に当接させる底面部と、底面部の両端部から上方に向かって屈折、形成され、根太の両側面に沿わせる両側面部と、これらの両側面部の上端に互いに相反する方向に屈折、形成され、断熱板の端部を受止する水平受止部とからなり、この保持具を各根太にこれらの根太の長さ方向に所定間隔毎に下方から装着してその両側面部を釘着等によって根太の両側面に固定したのち、隣接する根太に装着している保持具の対向する水平受止部上に、根太間に嵌め込むように配設した断熱板の両側端部を支持させるように構成した保持具が知られている。
【０００３】
また、特許文献２には、根太の上面に取り付けられる取付部と、この取付部の両端から下方に垂下した両側保持部とを備え、この両側保持部を上端から下端に向かうに従って根太の両側面からそれぞれ離間する方向に傾斜させてなる金属薄板等の弾性板からなる保持具が記載されてあり、この保持具を各根太にこれらの根太の長さ方向に所定間隔毎に上方から装着したのち、根太間に嵌め込むように配設した断熱板の両側端面を隣接する根太に装着している保持具の対向する保持部の傾斜面に圧接させ、この傾斜面によって断熱板の側端面を斜め上方に付勢させた状態で断熱板を保持するように構成している。
【先行技術文献】
【特許文献】
【０００４】
【特許文献１】実開平４−１１８５８号公報
【特許文献２】特開２００３−２０６５７０号公報
【発明の概要】
【発明が解決しようとする課題】
【０００５】
隣接する根太間に配設される断熱板は、その上面を根太間に架設状態で敷設した床板の下面に接して床板を支持した状態となるように施工されるが、上記特許文献１に記載された断熱板保持具によれば、この保持具を根太に装着した状態においては、断熱板の下面を支持する水平受止部と根太の上面との間の寸法が一定となるので、この保持具によって保持される断熱板は上記寸法に応じた厚みの断熱板に限定され、厚みがの異なる断熱板の保持に使用することができない。
【０００６】
また、断熱板の施工空間における周縁には基礎が施工されていてこの基礎上に木土台が設けられているが、この木土台と木土台に隣接する根太との間の空間部に断熱板を配設する場合には、根太と対向する木土台の側面に断熱板の端部を支持する保持具を装着する必要があるが、上記両側に断熱板の水平受止部を設けている保持具では木土台の側面に装着することができず、別な構造の保持具を使用しなければならないといった問題点がある。    
【０００７】
一方、上記特許文献２に記載の断熱板保持具によれば、この保持具を根太に装着した状態においては、根太の上面両側端から両側面に沿って下方に垂下した両側保持部を上端から下端に向かうに従って根太の両側面からそれぞれ離間する方向に傾斜させているので、隣接する根太間に断熱板を嵌め込むように配設した場合、断熱板の両側端面が隣接する根太に装着している保持具の相対する保持部の傾斜面にこの保持部の弾性力によって圧接した状態で挟持され、断熱板の厚みが異なっても施工することができるが、断熱板は保持具における保持部の傾斜面の圧接力によって保持されているにすぎないから、断熱板が保持部の弾性力に抗して傾斜面に摺接しながら下方に移動して、断熱板の上面と床板との間に隙間が生じたり、断熱板が一側端から他側端に向かうに従って傾斜した状態で施工される虞れがあり、正確な施工ができないばがりでなく、断熱機能が低下するといった問題点がある。
【０００８】
さらに、この保持具は根太の上方から装着されるので、その取付部が根太の上面に配設されて、この取付部を介して根太上に床板が敷設された状態となり、そのため、床板と根太との密着性が損なわれると共に軋みが発生するといった問題点がある。
【０００９】
また、この保持具をその取付部の中間部から二分割すれば、基礎上に設置した木土台に根太に装着した保持具に対向させてその二分割した取付部をビス等によって固定し、この取付部から垂下している保持部の傾斜面と木土台に隣接する根太に装着した保持具における木土台側に向けている保持部の傾斜面とによって断熱板を保持することができるが、保持具を二分割する作業が煩わしくて手間を要するばかりでなく、保持具を二分割する際に分割部等が変形して木土台に正確に且つ強固に装着することができなくなる虞れがあると共に、取扱時に分割した取付部の角部等によって指等が傷を受けるといった問題点が生じる。
【００１０】
さらにまた、この保持具は根太の上方から装着するように構成しているため、根太上に床板を施工している状態では断熱板の施工を行うことができず、床板を剥がさずに実施する床断熱リフォームに対応することができない。同様に、上記特許文献１に記載されている断熱板保持具のように、根太の下面に当接させる底面部の両端部に一定高さの両側面部を設けてこの両側面部の上端に断熱板の端部を受止する水平受止部を一体に設けている場合においても、床板が存在していると、この水平受止部と床板との間の隙間に断熱板の端部を嵌め込むことが困難となるため、床断熱リフォームに対応することができない。
【００１１】
本発明はこのような問題点に鑑みてなされたもので、その目的とするところは、根太間に断熱板を配設して床断熱構造を施工する際に、厚さの異なる断熱板であっても容易に且つ正確に断熱板を根太間に配設、保持することができると共に、基礎上に設置した木土台のように、この木土台に隣接する根太との対向側面にのみ、断熱板の端部を保持させる場合においても簡単に適応し得る構造を有し、さらに、根太上に床板を施工している状態においても、断熱板の施工が容易に行え、床断熱リフォームにも対応して使用することができる床用断熱板保持具を提供するにある。
【課題を解決するための手段】
【００１２】
上記目的を達成するために本発明の床用断熱板保持具は、請求項１に記載したように、根太間に配設される断熱板を保持するための床用断熱板保持具であって、上面が根太の下面への当接面に形成されていると共に根太の幅間隔を存した両側端部に挿通孔を設けている保持具本体と、この保持具本体の上記両側の挿通孔にそれぞれ上下動自在に挿通している垂直保持板と、これらの垂直保持板の上端に互いに相反する水平方向に屈折、形成している断熱板を受止するための支持板部と、上記垂直保持板を下動不能に固定するための固定手段と、保持具本体を根太に固着するための取着手段とを備えていることを特徴とする。
【００１３】
上記のように構成した床用断熱板保持具において、請求項２に係る発明は、保持具本体の両側端部に設けている挿通孔に上下動自在に挿通している垂直保持板を下動不能に固定するための固定手段は、垂直保持板の内側面に上下方向に連続形成している係止突条と、保持具本体の両側端部に上記垂直保持板の内面に対して接離する方向に弾性的に撓み可能に設けられ、上端に上記係止突条に係脱自在に係止させた係止爪片を設けている操作片とからなることを特徴とする。
【００１４】
さらに、請求項３に係る発明は、上記請求項２に記載の床用断熱板保持具において、垂直保持板の内側面に設けている係止突条は、その上面が垂直保持板の内側面から先端に向かって下方に傾斜した傾斜面に形成され、下面は下向きの水平係止面に形成されている一方、操作片の上端に設けている係止爪片は上面が上向きの水平係止面に、下面がその水平係止面の先端から斜め下方に傾斜した傾斜面に形成していることを特徴とする。
【００１５】
また、請求項４に係る発明は、上記保持具本体の中央部に上下方向に貫通したビス止め用孔を設けてあり、このビス止め用孔とビスとによって保持具本体を根太に固着するための取着手段を構成していることを特徴とする。
【００１６】
請求項５に係る発明は、上記垂直保持板における幅方向の中央部に上下方向に長い長孔を穿設していることを特徴とする。
【発明の効果】
【００１７】
請求項１に係る発明によれば、保持具本体の両側端部には挿通孔が設けられてあり、これらの挿通孔に、上端部に断熱板の支持板部を設けている垂直保持板を上下動自在に挿通していると共にこの垂直保持板を下動不能に固定するための固定手段を設けているので、根太の下方から保持具本体を根太の底部に取着した状態においては、垂直保持板が根太の両側面に沿って上下動自在に配設されてあり、従って、これらの垂直保持板の上端に設けている断熱板の支持板部と根太の上面との間の間隔を断熱板の厚みに応じて簡単に且つ正確に調整することができ、別な構造の保持具を使用することなく厚みの異なる断熱板であってもこの保持具によって精度よく確実に保持することができ、優れた床断熱構造を能率よく施工することができる。
【００１８】
さらに、保持具本体を根太に取付けた状態において、垂直保持板をその上端の断熱板支持板部が保持具本体上に重なるように最下位まで下ろしておくと、根太とこの断熱板支持板部との間の間隔が施工すべき断熱板の厚みよりも大きくなって、根太上に床板が施工されている状態であっても断熱板を床下側から上記支持板部上方の隣接する根太間の空間部内に容易に配設することができ、その両端部を対向する保持具本体の支持板部上に支持させた状態にして垂直保持板を保持具本体に設けている挿通孔をガイドとして上動させれば、断熱板をその上面が床板の下面に当接するまで簡単に押し上げることができ、従って、床板を取り除くことなく床断熱リフォームを容易に且つ正確に行うことができる。
【００１９】
また、建築物の基礎上に配設されている木土台に対しては、上記保持具本体の側端部に設けている挿通孔から垂直保持板を抜き取って根太と対向するこの木土台の側面に垂直保持板を固着すれば、この垂直保持板の上端に設けている断熱板支持板部と、木土台に隣接する根太に取付けた保持具における垂直保持板の上端に設けている断熱板支持板部とによって断熱板の両端部を保持することができ、木土台に別な構造の保持具を装着することなく、本発明の上記保持具における垂直保持板を使用して精度のよい床断熱構造を簡単に施工することができる。
【００２０】
請求項２に係る発明によれば、垂直保持板を下動不能に固定するための固定手段は、垂直保持板の内面に連続形成している係止突条と、保持具本体の両側端部に上記垂直保持板の内面に対して接離する方向に弾性的に撓み可能に設けられ、上端に上記係止突条に係脱自在に係止させた係止爪片を設けている操作片とからなるので、施工すべき断熱板の厚みに応じて垂直保持板を保持具本体に設けている挿通孔をガイドとして上下動させて断熱板を支持する根太の上面に対する支持板部の位置を調整し、その位置において垂直保持板の内面に設けている係止突条と操作片に設けている係止爪との係止により、断熱板を正確な施工位置に確実且つ強固に保持することができる。
【００２１】
その上、請求項３に係る発明によれば、上記断熱板支持部材の垂直保持板の内面に設けられている係止突条を、その上面が垂直保持板の内面から先端に向かって下方に傾斜した傾斜面に、下面が下向きの水平係止面に形成している一方、上記操作片の上端に設けている係止爪片を、上面が上向きの水平係止面に、下面がその水平係止面の先端から斜め下方に傾斜した傾斜面に形成しているので、垂直保持板に設けている係止突条における下向きの水平係止面と、操作片に設けている係止爪片における上向きの水平係止面との係止によって垂直保持板が下動不能となり、断熱板を所定の施工位置に確実に保持しておくことができる。
【００２２】
また、垂直保持板に設けている係止突条における上面側の傾斜面を、操作片に設けている係止爪片における下面側の傾斜面に摺接させながら、垂直保持板を保持具本体の端部に設けている上記挿通孔をガイドとして上動させれば、操作片を操作することなく、垂直保持板の上端に設けている支持板部を所望の位置まで簡単に位置させることができ、床断熱リフォーム時においても、隣接する保持具本体における支持板部によって支持されている断熱板を何等の熟練を要することなくその上面が床板の下面に当接するまで簡単且つ正確に配設することができる。
【００２３】
請求項４に係る発明によれば、上記保持具本体の中央部に上下方向に貫通したビス止め用孔を設けてあり、このビス止め用孔とビスとによって保持具本体を根太に固着するための取着手段を構成しているので、床下下方の狭い空間部であっても、保持具本体を根太の下面に簡単にビス止めによって装着することができ、根太に対する保持具本体の装着作業が能率よく行うことができる。
【００２４】
請求項５に係る発明によれば、上記垂直保持板における幅方向の中央部に上下方向に長い長孔を穿設しているので、保持具本体から垂直保持板を取り外して建築物の基礎上に配設されている木土台における根太と対向する側面にこの垂直保持板を装着する際に、垂直保持板の上端の支持板部の高さ位置を木土台に隣接する根太に装着した保持具本体の側端部に配設している垂直保持板の上端の支持板部の高さ位置になるように、垂直保持板を木土台の側面に当てがって、この垂直保持板に設けている長孔を通じてビス止め等により固定すれば、木土台とこの木土台に隣接する根太との間の床下空間部に断熱板を確実且つ能率よく施工することができる。
【図面の簡単な説明】
【００２５】
【図１】床用断熱板保持具の斜視図。
【図２】その分解斜視図。
【図３】縦断正面図。
【図４】底面側から見た斜視図。
【図５】その底面図。
【図６】断熱施工空間部全体に断熱板を施工した状態の床下側から見た下面図。
【図７】根太間に断熱板を施工した状態の斜視図。
【図８】その縦断正面図。
【図９】断熱板支持板部の高さ位置調整を行っている状態の縦断正面図。
【図１０】根太に保持具を装着した状態の斜視図。
【図１１】木土台と根太との間の空間部に断熱板を施工した状態の縦断正面図。
【図１２】木土台の側面に固定した根太と、この根太Ｂに隣接する根太との間の空間部に断熱板を施工した状態の縦断正面図。
【発明を実施するための形態】
【００２６】
本発明の具体的な実施例を図面について説明すると、図１〜図５において、断熱板保持具Ａは硬質の合成樹脂成形品からなり、長さが建築物における根太Ｂの両側面間の幅寸法よりも僅かに長い長さに形成され、その長さ方向の両側端部に根太Ｂの上記幅間隔を存して上下方向に貫通した挿通孔２、２を穿設している保持具本体１と、この保持具本体１の上記挿通孔２、２にそれぞれ上下動自在に挿通され、対向する内側面を根太Ｂの両側面にそれぞれ添接可能な縦長長方形状の垂直保持板３、３と、これらの垂直保持板３、３の上端に互いに相反する方向、即ち、保持具本体１の長さを延長する水平方向に向かって屈折、形成してなる平面矩形状の支持板部４、４と、垂直保持板３、３を上記挿通孔２、２に対して下動不能となるように固定するための固定手段５と、保持具本体１を根太の下面に取り付けるための取着手段６とから構成されている。
【００２７】
保持具本体１は、上面を根太Ｂの下面に対する平坦な当接面に形成している一定厚みを有する上面板部1aと、この上面板部1aの四方縁辺から下方に向かって垂設してなる周壁部1bとを有し、上記上面板部1aの中央部には上下方向に貫通したビス止め用孔6aが穿設されていて、このビス止め用孔6aとビス6bとによって保持具本体１を根太Ｂに固着するための上記取着手段６を構成している。
【００２８】
さらに、保持具本体１の上記周壁部1bにおける横長の前後壁部1b1 、1b1 の両側端部における対向する内面に、一定の突出幅と一定厚みを有する前後一対の垂直突壁部1c、1cを前後壁部1b1 、1b1 の上下端間に亘って突設してあり、この前後一対の垂直突壁部1c、1cと周壁部1bにおける両側端の両側壁部1b２、1b2 との対向面間の空間部によって上記垂直保持板３を上下方向に摺動自在に挿通させた前後方向に長い平面長方形状の上記挿通孔２、２を形成している。
【００２９】
上記垂直保持板３は一定厚みを有し、且つ長さが挿通孔２の長さの１．５〜３倍程度の長さを有する縦長長方形状の板片からなり、その内側面、即ち、保持具本体１の中央部側に向けている内側面の前後端部には上記保持具本体１に設けている上記垂直突壁部1c、1cに対応してこれらの垂直突壁部1c、1cと略同一幅を有し、且つ、垂直突壁部1c、1cの外側面に沿って摺動可能な垂直突条部3a、3aを突設してあり、さらに、垂直保持板３におけるこれらの前後垂直突条部3a、3a間の内側面には、複数の係止突条７を上下方向に波形状に連続するように突設している。
【００３０】
この係止突条７は、上記前後垂直突条部3a、3aの高さに等しい高さに形成されている共に、この係止突条７の上面は図３に示すように、垂直保持板３の内側面から先端に向かって下方に傾斜した上向き傾斜面7aに形成され、下面はその先端から垂直保持板３の内側面に連なる下向き水平係止面7bに形成されている。
【００３１】
そして，上下に隣接する係止突条７、７において、上側の係止突条７の下向き水平係止面7bの基端部に下側の係止突条７の上向き傾斜面7aの上傾端を連設させている。さらに、垂直保持板３、３における幅方向の中央部に上下方向に長い長孔10を穿設している。
【００３２】
一方、上記保持具本体１において、周壁部1bにおける横長の前後壁部1b1 、1b1 の両側端部における対向する内面に突設している上記前後垂直突壁部1c、1cの上端部間は上壁部1dによって一体に連設してあり、この上壁部1dの下端に、外側面を挿通孔２側に向けている垂下片1eの上端を、上壁部1dを支点として内外方向に弾性的に撓み変形可能に連設している。
【００３３】
この垂下片1eは、その下端が上記挿通孔２の上下方向の中間に位置する長さに形成されていて、この垂下片1eの下端に操作片８が一体に連設してあり、この操作片８の上端に、上記垂直保持板３の内側面に突設している係止突条７に係脱自在に係止させた係止爪片９を上記挿通孔２の上下方向の中間部分において外側方に向かって突設している。
【００３４】
詳しくは、上記操作片８はその外側端部を上記垂下片1eの下端に一体に連設させている水平板片部8aと、この水平板片部8aの内側端から下方に垂下した垂下板片部8bとを備え、水平板部8aの外側端に水平板部8aの外側面から上記挿通孔２側に向かって突出した上記係止爪片９を形成している。この係止爪９は、その上面を上記垂直保持板３の内側面に突設している係止突条７の下向き水平係止面7bに係止する上向き水平係止面9aに形成し、下面をこの上向き水平係止面7aの先端から水平板板部8aの下面に向かって斜め内側方に傾斜した下向き傾斜面9bに形成している。
【００３５】
そして、上記垂直保持板３の内側面に設けている複数の係止突条７の下向き水平係止面7bと、この下向き水平係止面7bに係止する操作片８における係止爪片９の上記上向き水平係止面9aとによって、垂直保持板３を下動不能に固定するための固定手段５を構成している。
【００３６】
なお、操作片８の垂下板片部8bの少なくとも下半部は、保持具本体１の上記周壁部1bにおける横長の前後壁部1b1 、1b1 の下端面に対して下方に突出させてあり、指先によって操作片９の垂下板片部8bの下端を図９に示すように内側方に引き寄せて、保持具本体１における横長の前後壁部1b1 、1b1 の両側端部の上端部間に設けている上壁部1dを支点として、上端をこの上壁部1dの下端に連設した垂下片1eを操作片８の水平板片部8aを介して内側方に弾性的に撓ませることにより、操作片８の水平板片部8aに突設している係止爪片９を上記垂直保持板４の内側面に突設している係止突条７から離脱させる係止解除の操作を容易に行えるようにしている。
【００３７】
次に、上記のように構成した断熱板保持具Ａを使用して建築物における根太Ｂ、Ｂ間に断熱板Ｄを保持させて図６に示すような床断熱構造を施工する態様を説明する。
【００３８】
建築物の一階の床においては、図７に示すように、所定間隔毎に並設している大引Ｃ上に、この大引Ｃに直交するように根太Ｂが所定間隔毎に並設、固定している。断熱板Ｄはポリスチレン、ポリウレタン等の発泡板からなり、上記隣接する根太Ｂ、Ｂ間に嵌め込み可能な幅寸法と所定長さ、及び所定厚みを有している。
【００３９】
まず、各根太Ｂに断熱板保持具Ａを根太Ｂの長さ方向に所定間隔毎に装着する。根太Ｂに対する保持具Ａの装着は、保持具本体１の両側端部の挿通孔２、２挿通している両側の垂直保持板３、３を、根太Ｂ（図３においては点線で示している）の両側面にそれぞれ沿わせながら保持具本体１をその上面板部1aが根太Ｂの下面に当接するまで押し上げたのち、上面板部1aの中央部に設けているビス止め用孔6aからビス6bを図８に示すよう、根太Ｂに打ち込むことによって行われる。なお、垂直保持板３は、常態においては、その内側面に突設している複数個の係止突条７における一つの係止突条７を、両側の操作片８、８に設けている上記係止爪片９に係止させていてこれらの垂直保持板３の上端に設けている支持板部４、４を根太Ｂの上面から下方に所定の間隔を存した位置に保持している。
【００４０】
この際、両側の垂直保持板３、３の上端に一体に設けている支持板部４、４の根太下面からの高さ位置は、予め、根太Ｂの上面から下方に向かって施工すべき断熱板Ｄの厚みに相当する距離を存した位置となるように設けておいてもよく、或いは、支持板部４、４を保持具本体１の両側挿通孔２、２の開口周縁部の上端面に当接する最下位の位置まで下げておき、断熱板Ｄの両端部を隣接する根太Ｂ、Ｂに装着した保持具Ａ、Ａの対向する支持板部４、４上に支持させたのち、垂直保持板３、３を断熱板Ｄの上面が床板下面に当接する位置まで押し上げるようにしてもよい。
【００４１】
このように保持具Ａを根太Ｂに長さ方向に所定間隔毎に装着したのち、隣接する根太Ｂ、Ｂ間に断熱板Ｄを嵌め込むように挿入してその両端部下面を隣接する根太Ｂ、Ｂに装着した保持具Ａ、Ａにおける対向する支持板部４、４上に架設状態に支持させる。この際、根太Ｂ、Ｂ間上に床板Ｅが未だ敷設されていない場合には、断熱板Ｄを上方から根太Ｂ、Ｂ間に嵌め込むことによって施工することができる。
【００４２】
また、既に床板Ｅが設けられている場合には、上述したように、保持具Ａにおける上記断熱板支持板部４、４を最下位の位置まで下げておき、断熱板Ｄを床下側から上記対向する支持板部４、４上における隣接する根太Ｂ、Ｂ間の空間部内に配設したのち、断熱板Ｄを下ろしてその両端部を上記対向する支持板部４、４上に支持させ、しかるのち、上端にこれらの支持板部４、４をそれぞれ設けている垂直保持板４、４を断熱板Ｄの上面が床板Ｅの下面に当接するまで押し上げれば断熱板Ｄを施工することができ、床板Ｅを除去することなく床断熱リフォーム等を容易に行うことができる。
【００４３】
断熱板Ｄを、その両端部下面が隣接する根太Ｂ、Ｂに装着した保持具Ａ、Ａにおける対向する支持板部４、４間上に架設状態に配設すると、上端にこれらの支持板部４、４をそれぞれ一体に設けている垂直保持板３の内側面に突設している係止突条７とこの係止突条７に係止した操作片８の上端部に設けている係止爪片９を介して断熱板Ｄが保持具本体１に支持される。この状態においては、垂直保持板３の内側面に突設している係止突条７における下向き水平係止面7bが、操作片８に設けている係止爪片９における上向き水平係止面9a上に係止して垂直保持板３が下動不能となっており、断熱板Ｄを所定の施工位置に確実に保持しておくことができる。
【００４４】
一方、垂直保持板３の内側面に突設している係止突条７における上向き傾斜面7a上に操作片８に設けている係止爪片９における下向き傾斜面9bを係合させているので、保持具本体１の両側端部に設けている垂直保持板３の挿通孔２をガイドとして垂直保持板３を押し上げると、垂直保持板３の係止突条７の上向き傾斜面7aによってこの上向き傾斜面7aに係合した下向き傾斜面9bを有する係止爪片９が内側方に向かって押し動かされ、保持具本体１の両側端部に設けている上記上壁片1dを支点として、上端をこの上壁片1bの下端に連設した垂下片1eが内側方に弾性的に撓まみながら、係止爪片９が垂直保持板３の係止突条７から外れてこの係止突条７の頂面に達し、この頂面上を摺動しながら次の係止突条７に対向する位置に相対的に移動して上記上壁片1dの弾性復元力により係止爪片９を次の係止爪片９に係合させることができる。
【００４５】
従って、操作片８を指先で操作することなく、垂直保持板３を押し上げるだけで、垂直保持板３の内側面に上下方向に連設している複数の係止突条７を、順次、操作片８の係止爪片９に係脱させながら、支持板部４、４の高さ位置を迅速に且つ正確に設定することができる。
【００４６】
隣接する根太Ｂ、Ｂ間の空間部には、上記のように、上端部に支持板部４、４を設けている垂直保持板３、３を保持具本体１の両側端部に設けた挿通孔２、２に挿通、支持させている保持具Ａを装着することによって、断熱板Ｄを施工することができるが、図11に示すように、建築物の基礎Ｆ上に設置、固定している木土台Ｇに対しては上記保持具本体１を装着することができない。
【００４７】
そのため、上記保持具本体１の両側端部に設けている挿通孔２、２から上端に支持板部４、４をそれぞれ一体に設けている垂直保持板３、３を抜き取り、これらの垂直保持板３、３を床施工空間を介して並設している基礎Ｆ上の木土台Ｇにおける側面に、図11に示すように、ビス11によって固定する。
【００４８】
この際、垂直保持板３の上端に一体に設けている支持板部４の高さ位置を、木土台Ｇに隣接した根太Ｂに装着している保持具Ａにおける垂直保持板３の上端に一体に設けている支持板部４の高さ位置と同じ高さ位置となるように、即ち、木土台Ｇの上面が根太Ｂの上面と同一水平面上に設けられている場合には、木土台Ｇの上面から断熱板Ｄの厚みに相当する間隔を存した下方位置に支持板部４、４の上面が配設されるように、垂直保持板３を木土台Ｇの側面に当てがって、この垂直保持板３に設けている長孔10を通じてビス止めにより固定する。
【００４９】
なお、木土台Ｇの側面に対する垂直保持板３の装着は、垂直保持板３が上下動可能にビス11によって仮止めしておき、垂直保持板３の支持板部４の高さ位置を調整したのち、ビス11を締め付ければ、簡単に且つ正確に支持板部４の高さ調整が可能となる。
【００５０】
上記のように、木土台Ｇの側面に垂直保持板３を装着したのち、この垂直保持板３の上端の支持板部４と、木土台Ｇに隣接する根太Ｂに装着した保持具本体１における垂直保持板３の上端の支持板部４との上面間の空間部に断熱板Ｄを嵌め込んでこの断熱板Ｄの両端部を上記隣接する垂直保持板３、３の支持板部４、４の水平な上面に支持させることにより断熱板Ｄを施工する。このようにして建築物における木土台Ｇで囲まれた床施工空間に全面に亘って複数枚の断熱材Ｄを縦横に配設することにより床断熱構造を施工する。
【００５１】
上記実施例において、木土台Ｇとこの木土台Ｇに隣接する根太Ｂとの間に断熱板Ｄを施工する場合、木土台Ｇの上面が根太Ｂの上面に対して同一水平面上に位置する場合には，上記のように、木土台Ｇの側面に直接、垂直保持板３を装着すれば断熱板Ｄの施工が可能となるが、建築物によっては木土台Ｇが図12に示すように、根太Ｂよりもその上面が低い位置に設けられている場合がある。
【００５２】
このような場合には、木土台Ｇの側面にこの木土台Ｇに隣接する根太Ｂと同一高さとなるように根太B'を固定し、この根太B'の側面に上記保持具本体１から取り外した垂直保持板３を、この垂直保持板３の上端から水平方向に屈折している支持板部４の断熱板支持位置を、上記根太Ｂ装着している保持具Ａにおける垂直保持板３の上端に一体に設けた支持板部４と同じ高さ位置となるようにビス11により固着して、上記実施例同様にこれらの支持板部４、４間の空間部に断熱板Ｄを配設し、この断熱板Ｄの両端部を支持板部４、４上に支持させればよい。
【００５３】
なお、上記実施例において、保持具本体１や垂直保持板３をビスによって根太Ｂに固着しているが釘等によって固着してもよい。
【００５４】
また、以上の実施例においては、建築物の一階に床断熱構造を施工する場合について説明したが、建築物の二階に床断熱構造を施工する場合においても、上記同様にして根太Ｂに保持具Ａを装着すれば、隣接する根太Ｂ、Ｂ間の空間部に断熱板Ｄを施工することができる。
【符号の説明】
【００５５】
Ａ  保持具
Ｂ  根太
Ｄ  断熱板
１  保持具本体
２  挿通孔
３  垂直保持板
４  支持板部
５  固定手段
６  取着手段
７  係止突条
7a  上向き傾斜面
7b  下向き水平係止面
８  操作片
8a  水平板片部
8b  垂直板片部
９  係止爪片
9a  上向き水平係止面
9b  下向き傾斜面
10  長孔
【図１】
2018071291.tif 000003
【図２】
2018071291.tif 000004
【図３】
2018071291.tif 000005
【図４】
2018071291.tif 000006
【図５】
2018071291.tif 000007
【図６】
2018071291.tif 000008
【図７】
2018071291.tif 000009
【図８】
2018071291.tif 000010
【図９】
2018071291.tif 000011
【図１０】
2018071291.tif 000012
【図１１】
2018071291.tif 000013
【図１２】
2018071291.tif 000014